(57)【要約】【課題】ワイヤケーブル３がその屈曲に起因して断線する兆しを予め検知可能にすること。【解決手段】本断線予兆検知方法は、ワイヤケーブル３の断線の予兆を検知する方法であって、ワイヤケーブル３を複数の素線３ａで構成し、これら素線３ａのうち任意の素線３ａが少なくとも２つの素線半部３ａ１，３ａ２に断線した際に当該両素線半部３ａ１，３ａ２同士がワイヤケーブル３の屈曲伸張に伴いその接触状態の変化、例えば、好ましくは接触分離を繰り返すことにより発生するワイヤケーブル３の通電状態の変化に基づいてワイヤケーブル３が断線する予兆の検知を行う。【選択図】図５
2007139488.tif 000002
【特許請求の範囲】
【請求項１】
ワイヤケーブルの断線の予兆を検知する方法であって、
上記ワイヤケーブルを複数の素線で構成し、
これら素線のうち任意の素線が少なくとも２つの素線半部に断線した際に、当該両素線半部同士がワイヤケーブルの屈曲伸張に伴い接触状態が変化することにより発生するワイヤケーブルの通電状態の変化に基づいて、ワイヤケーブルが断線する予兆の検知を行う、ことを特徴とする断線予兆検知方法。
【請求項２】
上記接触状態の変化が、両素線半部が接触分離することである、請求項１に記載の断線予兆検知方法。
【請求項３】
互いに同期して屈曲伸張する複数のワイヤケーブルを設置し、任意のワイヤケーブルに対して請求項１または２に記載の断線予兆検知を行って他のワイヤケーブルの断線の予兆検知を行う、ことを特徴とする断線予兆検知方法。
【請求項４】
上記ワイヤケーブルの屈曲周期とワイヤケーブルの通電状態の変化周期との関連性に基づいて上記断線の予兆検知を行う、ことを特徴とする請求項１ないし３のいずれかに記載の断線予兆検知方法。
【請求項５】
上記関連性に加えて素線の断線数の増加に伴う通電状態の変化の推移から上記断線の予兆検知を行う、ことを特徴とする請求項４に記載の断線予兆検知方法。
【請求項６】
ワイヤケーブルの所定の設置環境下での屈曲周期を記憶する屈曲周期記憶手段と、
ワイヤケーブルの通電状態の変化周期を検知する変化周期検知手段と、
変化周期検知手段が検知した変化周期と屈曲周期記憶手段が記憶している屈曲周期とに基づいてワイヤケーブルの断線の予兆を報知する断線予兆報知手段と、
を備える、ことを特徴とする断線予兆検知装置。
【請求項７】
ワイヤケーブルの設置環境に対応して該ワイヤケーブルの屈曲周期を学習する学習手段を備える、ことを特徴とする請求項６に記載の断線予兆検知装置。
【請求項８】
請求項６または７に記載の断線予兆検知装置を内蔵する、ことを特徴とする電源。
【請求項９】
少なくとも１対の交流入力端子と、少なくとも１つの直流出力端子と、を備え、この直流出力端子を、断線予兆を検知するべきワイヤケーブルに接続する端子とする、ことを特徴とする請求項８に記載の電源。
【請求項１０】
少なくとも１対の交流入力端子と、複数の直流出力端子と、を備え、少なくとも１つの直流出力端子を、断線予兆を検知するべきワイヤケーブルに接続する端子とする、ことを特徴とする請求項８に記載の電源。
【発明の詳細な説明】
【技術分野】
【０００１】
本発明は、ワイヤケーブルが断線する予兆を検知する断線予兆検知方法、該方法の実施に用いる断線予兆検知装置、および該装置を内蔵した電源に関するものである。
【背景技術】
【０００２】
従来から断線を検知する断線検知装置は種々に提案されてきている（例えば、特許文献１参照）。この種の断線検知においては、例えばワイヤケーブルの断線を検知できてもワイヤケーブルが突然に断線したことには変わりなくこのワイヤケーブルを経由して電源供給を受けている負荷からすれば、突然の動作停止等を余儀なくされるなどの不都合が発生する。しかしながら、その一方で、上記した不都合を回避するべくワイヤケーブルの断線を予兆する有用な装置の提案は少ない。
【特許文献１】特開２００３−２２６２２３号公報
【発明の開示】
【発明が解決しようとする課題】
【０００３】
したがって、本発明により解決すべき課題は、ワイヤケーブルがその屈曲に起因して断線する兆しを予め検知可能にすることである。
【課題を解決するための手段】
【０００４】
（１）本発明による断線予兆検知方法は、ワイヤケーブルの断線の予兆を検知する方法であって、上記ワイヤケーブルを複数の素線で構成し、これら素線のうち任意の素線が少なくとも２つの素線半部に断線した際に、当該両素線半部同士がワイヤケーブルの屈曲伸張に伴い接触状態が変化することにより発生するワイヤケーブルの通電状態の変化に基づいて、ワイヤケーブルが断線する予兆の検知を行うことを特徴とするものである。
【０００５】
複数の素線は好ましくは撚り合わせ構造になっている。
【０００６】
断線の予兆とはワイヤケーブルが完全断線に至る前の段階で当該完全断線に至る兆しのことである。
【０００７】
上記素線半部とは、素線が複数に断線した場合のそれぞれの断線部分のことを指す名称であり、それらの断線長さの比率を限定するものではない。素線半部の数は２つ以上である。
【０００８】
ワイヤケーブルは、その名称に限定されるものではなく、電源ケーブル、電源線、等とも称することができる。
【０００９】
屈曲伸張は、ワイヤケーブルのいかなる屈曲状態や伸張状態を含み、完全に伸張している状態に限定するのではなく、例えば、２つの屈曲状態において一方の屈曲程度が相対的に他方の屈曲程度に対して大小となる関係を含む。同様に２つの伸張状態において一方の伸張程度が相対的に他方の伸張程度に対して大小となる関係を含む。屈曲の形状は、角度が付かず連続的なカーブを描く形状や、角度が付いて折れ曲がる形状、等を含む。
【００１０】
通電状態の変化とは電流変化、電圧変化等の電気的な状態の変化である。
【００１１】
接触状態の変化とは両素線半部が完全な接触や分離することだけに限定されず、２つの相対向する素線部分において一方は軽接触で他方は強接触である相対的な接触関係、また、分離も同様に相対的な分離関係であり、微小に接触していても相対的比較で分離と称することができるし、接触と称することができる。すなわち、通電状態が変化する接触状態の変化の意義である。
【００１２】
本発明によると、ワイヤケーブルを構成する複数の素線のうちの任意の素線の１つないしは複数がそれぞれ例えば２つの素線半部に断線するとワイヤケーブルの屈曲に従い両素線半部同士の接触状態の変化が繰り返される結果、ワイヤケーブルの通電状態が増減に変化する。この場合、ワイヤケーブルの屈曲周期と通電状態の変化周期とが一致することになるから、ワイヤケーブルの屈曲周期を既知のデータとして保持しておけば、ワイヤケーブルの屈曲周期に通電状態の変化周期が一致すると、複数の素線の一部に断線が発生していることを検知することができ、その検知結果からワイヤケーブルの断線を予兆することができる。
【００１３】
（２）好ましくは上記接触状態の変化が、両素線半部が接触分離することである。
【００１４】
（３）好ましくは互いに同期して屈曲伸張する複数のワイヤケーブルを設置し、任意のワイヤケーブルに対して上記（１）または（２）に記載の断線予兆検知を行って他のワイヤケーブルの断線の予兆検知を行う。当該任意のワイヤケーブルを他のワイヤケーブルよりも低屈曲強度とすることにより、より早期にワイヤケーブルの断線予兆を検知して報知することができる。
【００１５】
上記同期とは複数のワイヤケーブルそれぞれの屈曲周期と屈曲位相とがほぼ一致していることである。任意のワイヤケーブルの数は１つでも複数でもよい。
【００１６】
（４）好ましくはワイヤケーブルの屈曲周期とワイヤケーブルに対する通電状態の変化周期との関連性に基づいて断線予兆の検知を行うことである。ワイヤケーブルの素線に断線が発生し、断線素線に係る素線半部がワイヤケーブルの屈曲周期に例えば同期して接触分離するとワイヤケーブルにおける通電状態もその屈曲周期に同期した周期（変化周期）で変化するので、屈曲周期と変化周期との間に例えば、所期の関連性があれば、ワイヤケーブルの断線予兆を検知することができる。
【００１７】
この関連性は、もちろん、屈曲周期と変化周期とが同期することだけに限定されず、ワイヤケーブルの屈曲周期に対してワイヤケーブルの通電状態が完全には同期して変化しないが、一定あるいは予め定められた関連をもって変化していれば、その関連に基づいてワイヤケーブルの断線予兆の検知をすることができる。
【００１８】
（５）好ましくは上記関連性に加えて素線の断線数の増加に伴う通電状態の変化の推移から上記断線の予兆検知を行うことである。
【００１９】
素線の断線数が増加する速度等の推移からワイヤケーブルが完全断線に至るまでの時期等を検知することができる。
【００２０】
（６）本発明による断線予兆検知装置は、ワイヤケーブルの所定の設置環境下での屈曲周期を記憶する屈曲周期記憶手段と、ワイヤケーブルの通電状態の変化周期を検知する変化周期検知手段と、変化周期検知手段が検知した変化周期と屈曲周期記憶手段が記憶している屈曲周期とに基づいてワイヤケーブルの断線の予兆を報知する断線予兆報知手段とを備えることを特徴とするものである。
【００２１】
上記手段は、ハードウェアで実現することも、あるいはマイクロコンピュータによりソフトウエアでも実現することができる。例えば、屈曲周期記憶手段は屈曲周期のデータを蓄積する例えばＲＡＭで構成し、変化周期検知手段をワイヤケーブル電流をアナログ値で検知する検知手段と、この検知手段のアナログ値をＡＤ変換するＡＤ変換手段とで構成し、断線予兆報知手段を、マイクロコンピュータと、プログラムＲＯＭと、ディスプレイとで構成することができる。マイクロコンピュータは、プログラムＲＯＭに書き込まれたプログラムに従い、屈曲周期記憶手段と変化周期検知手段とを制御して、これら両手段からのデータを取り込み、取り込んだデータから屈曲周期と変化周期との関連性からワイヤケーブルが断線する予兆があるか否かの演算を行い、この演算から断線予兆を検知したときはディスプレイにそのことを表示制御する。このようなソフトウエアによる上記各手段の実現は任意である。
【００２２】
本発明によると、上記各手段の動作から、ワイヤケーブルの断線予兆を検知することができるので、ワイヤケーブルが完全断線する前にワイヤケーブルの交換等が可能であり、ワイヤケーブルを介して例えば近接センサ等に電源を供給して機械の動作を管理等を実施している生産設備等に対する影響を大きく軽減することができる。
【００２３】
（７）好ましくは、上記（６）の装置に、ワイヤケーブルの設置環境に対応して該ワイヤケーブルの屈曲周期を学習する学習手段を備える。学習手段にワイヤケーブルの屈曲周期を学習させることができるので、設置環境に応じた対応を講じることができ、各種生産設備に対する応用展開が可能となる。
【００２４】
（８）本発明による電源は、上記（６）または（７）の断線予兆検知装置を内蔵することを特徴とする電源である。
【００２５】
電源の種類には限定されず、安定化直流電源等の直流電源やその他の電源で構成することができる。
【００２６】
（９）好ましくは、上記（８）の電源は、少なくとも１対の交流入力端子と、少なくとも１つの直流出力端子と、を備え、この直流出力端子を、断線予兆を検知するべきワイヤケーブルに接続する端子とする。
【００２７】
（１０）好ましくは、上記（８）の電源は、少なくとも１対の交流入力端子と、複数の直流出力端子と、を備え、少なくとも１つの直流出力端子を断線予兆を検知するべきワイヤケーブルに接続する端子とする。
【００２８】
上記構成においては、断線予兆を検知する必要が無いワイヤケーブルと検知する必要があるワイヤケーブルとを使い分けて直流出力端子に接続することができるので、電源の使用用途を拡大することができる。
【００２９】
なお、通電状態の変化の大きさの推移に基づいてワイヤケーブルが断線する時期の状況を報知する場合、通電状態の変化が大きくなると、素線の断線が進行し、ワイヤケーブルが完全断線する兆しを早期に概略報知することができるようになる。また、断線予兆報知を音声や映像により報知することが好ましい。
【発明の効果】
【００３０】
本発明によれば、ワイヤケーブルがその屈曲に起因して断線する兆しを予め検知して報知することができる。
【発明を実施するための最良の形態】
【００３１】
以下、添付した図面を参照して、本発明の好ましい実施の形態に係る断線予兆検知方法および、この方法の実施に用いる装置等を説明する。
【００３２】
まず、図１を参照して、１は、電源、２は機械装置等の負荷、３はワイヤケーブル、４は近接センサ、である。近接センサ４に図略の金属等の検出体が接近すると、近接センサ４がオンし、これによって電源１が負荷２に印加され、該負荷２は電源１により駆動されるようになっている。近接センサ４の詳細は略するが、実施の形態ではこの近接センサ４は、ワイヤケーブル３の先端に接続されて、検出体に対して相対的に周期性を持って接近移動するようになっているものとする。そのため、ワイヤケーブル３は近接センサ４の上記移動態様に従い、屈曲伸張を周期的に繰り返す。このワイヤケーブル３の屈曲周期は、ワイヤケーブル３の設置環境の温度、等の変化とは明らかに区別することができるものである。近接センサ４以外にもリミットスイッチ等のセンサでもよく、また、センサが無く通電されたワイヤケーブルでもよい。
【００３３】
図２を参照して電源１の詳細を説明する。電源１は例えばスイッチングレギュレータ等の安定化直流電源であり、一対の交流入力端子１ａ，１ｂと、直流出力端子１ｃと、直流接地端子１ｄとを有する。
【００３４】
電源１は、電源本体部５と、断線予兆検知装置６とを備える。電源本体部５の詳細は実施の形態の要点ではないので略するが、交流入力が印加される交流入力端子１ａ，１ｂと、直流を出力する直流出力端子１ｃと，直流接地端子１ｄとを有する。直流出力端子１ｃには抵抗値が既知の抵抗Ｒが挿入されている。
【００３５】
電源本体部５は、交流入力端子１ａ，１ｂから印加される交流電圧を直流電圧に変換し、この直流電圧を直流出力端子１ｃと直流接地端子１ｄとの間に出力する。ワイヤケーブル３は負荷２を介して直流出力端子１ｃと接地端子１ｄとに接続される。
【００３６】
ワイヤケーブル３には電源１から近接センサ４への電流（ワイヤケーブル電流）が流れている。実施の形態では、ワイヤケーブル３を複数の素線３ａを撚り合わせて構成し、素線３ａのいくつかが断線した場合に、そのワイヤケーブル電流が変化する。このワイヤケーブル電流の変化は、ワイヤケーブル３の屈曲伸張の繰り返しに同期していることを用いて、ワイヤケーブル３が完全断線する前にその予兆を報知することができるようにしたものである。
【００３７】
断線予兆検知装置６は、そのワイヤケーブル３の素線３ａの断線に伴うワイヤケーブル電流の変化周期と、ワイヤケーブル３の屈曲周期との間に、関連性があることに着目して、上記断線の予兆を検知して報知可能としたものである。
【００３８】
断線予兆検知装置６は、そのために、屈曲周期記憶手段６ａと、変化周期検知手段６ｂと、断線予兆報知手段６ｃとを必須的に備えるとともに、必要に応じて、屈曲周期学習手段６ｄと、制御手段６ｅとを備える。
【００３９】
屈曲周期記憶手段６ａは、ワイヤケーブル３の屈曲周期を記憶している。この屈曲周期は、ワイヤケーブル３の屈曲伸張の繰り返し周期のことである。ワイヤケーブル３の設置環境は種々存在するから、屈曲周期記憶手段６ａにはワイヤケーブル３の設置環境に対応した屈曲周期が記憶される。
【００４０】
変化周期検知手段６ｂは、直流出力端子１ｃに挿入されている抵抗Ｒの両端間電圧を測定し、この測定した電圧値と抵抗Ｒの既知の抵抗値とからワイヤケーブル３に流れるワイヤケーブル電流を検出し、この検出したワイヤケーブル電流の変化周期を検知する。
【００４１】
断線予兆報知手段６ｃは、変化周期検知手段６ｂが検知した変化周期と、屈曲周期記憶手段６ａが記憶している屈曲周期とに基づいて、ワイヤケーブル３の完全断線の予兆を音声、映像等により、報知する。
【００４２】
学習手段６ｄは、ワイヤケーブル３の設置環境に対応した屈曲周期を学習する。
【００４３】
制御手段６ｅは、学習手段６ｄが学習した屈曲周期を屈曲周期記憶手段６ａに記憶させる。
【００４４】
図３を参照して、ワイヤケーブル３は、近接センサ４の動きに応じて屈曲伸張を繰り返すため、比較的高い剛性を有することが好ましい。ワイヤケーブル３は、複数の素線３ａを互いに電気的に導通した状態で撚り合わせた構造を備え、例えば電気的導電性に優れた金属材、例えば、銅、アルミニウム、その他の金属材から構成されている。ワイヤケーブル３は、例えば、電源１の直流出力端子側と直流接地端子側とに対応して互いに電気絶縁された２つのケーブル素線３ｂがあり、それぞれのケーブル素線３ｂ内に互いに電気的に接触導通する複数の素線３ａが撚線構造になっている。図３では、ワイヤケーブル３の一部を破断して示すとともに、実線と仮想線との間で屈曲伸張を繰り返している状態で示している。
【００４５】
素線３ａの線径や素線数には何等限定されない。ワイヤケーブル３が複数の素線３ａを撚り合わせた構造としたのは、素線３ａの一部に断線が発生した場合、ワイヤケーブル３の屈曲伸張により、その断線した素線３ａにおいて素線半部３ａ１，３ａ２（図５以降に図示）が接触分離することを容易に起こさせるためである。その意味から複数の素線３ａを撚り合わせなくても、ワイヤケーブル３の屈曲伸張により、その断線した素線３ａにおける素線半部３ａ１，３ａ２が接触分離することができれば、その撚り合わせは必須とならない。
【００４６】
ワイヤケーブル３全体の電気抵抗は素線３ａの断線数に反比例して高くなるため、素線３ａの断線の進行に伴いワイヤケーブル電流（通電状態）は減少する。
【００４７】
以下、断線予兆の報知動作を説明する。なお、素線３ａは部分的に示し、その撚り合わせの詳細な形態は略しており、また、複数の素線３ａの接触や分離等は、説明の理解のため誇張して図示している。
【００４８】
（素線３ａに断線無し）
図４を参照して、同図（ａ）はワイヤケーブル３に断線が発生していない状態でワイヤケーブル３が屈曲している状態を示し、同図（ｂ）はワイヤケーブル３が伸張している状態を示し、同図（ｃ）はワイヤケーブル電流を示す。
【００４９】
ワイヤケーブル３内部の素線３ａに断線が発生していないため、ワイヤケーブル３が屈曲伸張を繰り返してもワイヤケーブル電流に変化はない。この場合、外的要因、例えば、温度によるワイヤケーブル電流の変化には周期性が無いとみなしている。そのため、実施の形態では外的要因の影響を無視して、ワイヤケーブル電流の変化を示す。
【００５０】
（素線３ａの１つに断線発生）
図５はワイヤケーブル３内の１つの素線３ａが一方側の素線半部３ａ１と他方側の素線半部３ａ２とに断線している例を示す。図５（ａ）はワイヤケーブル３が屈曲している状態を示し、図５（ｂ）はワイヤケーブル３が伸張している状態を示し、図５（ｃ）はワイヤケーブル電流を示す。
【００５１】
ワイヤケーブル３が屈曲している図５（ａ）の状態では両素線半部３ａ１，３ａ２が分離してワイヤケーブル３の電気抵抗が増大する結果、ワイヤケーブル電流が減少する。ワイヤケーブル３が伸張している図５（ｂ）の状態では両素線半部３ａ１，３ａ２が接触（接触部３ａ３）する。このためワイヤケーブル電流は、接触部３ａ３での接触抵抗をゼロとみなして無視すれば、ワイヤケーブル３の電気抵抗は非断線のときと同様となる。すなわち、図５（ａ）の屈曲状態ではワイヤケーブル電流が減少し、図５（ｂ）の伸張状態ではワイヤケーブル電流は増大する。このワイヤケーブル電流の増減幅はＶ１である。
【００５２】
以上のことより、ワイヤケーブル電流の変化周期ＴＩ１，ＴＩ２，ＴＩ３，…は、ワイヤケーブル３の屈曲周期ＴＷ１，ＴＷ２，ＴＷ３，…と同期したものとなる。
【００５３】
（素線３ａの２つに断線発生）
図６は、ワイヤケーブル３の素線３ａがさらに１つ断線した例を示す。図６（ａ）は図５（ａ）、図６（ｂ）は図５（ｂ）に、図６（ｃ）は図５（ｃ）にそれぞれ対応する。
【００５４】
この場合も上記と同様に、ワイヤケーブル電流の変化周期ＴＩ１，ＴＩ２，ＴＩ３，…は、ワイヤケーブル３の屈曲周期ＴＷ１，ＴＷ２，ＴＷ３，…と同期したものとなる。図６（ａ）の屈曲状態ではワイヤケーブル電流が減少し、図６（ｂ）の伸張状態ではワイヤケーブル電流は増大する。このワイヤケーブル電流の増減幅は接触部３ａ３の個数の増大によりＶ２になる。
【００５５】
（素線３ａの３つに断線発生）
図７は、ワイヤケーブル３の素線３ａがさらに１つ断線した例を示す。図７（ａ）は図５（ａ）、図７（ｂ）は図５（ｂ）に、図７（ｃ）は図５（ｃ）にそれぞれ対応する。
【００５６】
この場合も上記と同様に、ワイヤケーブル電流の変化周期ＴＩ１，ＴＩ２，ＴＩ３，…は、ワイヤケーブル３の屈曲周期ＴＷ１，ＴＷ２，ＴＷ３，…と同期したものとなる。図７（ａ）の屈曲状態ではワイヤケーブル電流が減少し、図７（ｂ）の伸張状態ではワイヤケーブル電流は増大する。このワイヤケーブル電流の増減幅は接触部３ａ３の個数のさらなる増大によりＶ３になる。
【００５７】
断線予兆検知装置６においては、屈曲周期記憶手段６ａにワイヤケーブル３の屈曲周期ＴＷ１，ＴＷ２，ＴＷ３，…を記憶している。また、変化周期検知手段６ｂでは、図５ないし図７それぞれのワイヤケーブル電流の変化周期ＴＩ１，ＴＩ２，ＴＩ３，…を検知している。そして、断線予兆報知手段６ｃにおいては、変化周期検知手段６ｂが検知した変化周期と、屈曲周期記憶手段６ａが記憶している屈曲周期との関連性に基づいて、ワイヤケーブル３の完全断線の予兆を音声、映像等により、作業者に報知することができる。この報知方法としては、さらに作業者に音声、映像で報知することだけではなく、機械に信号制御により報知することも含むことができる。すなわち、自動的に機械が判断して生産設備を制御することができるようにしてもよい。
【００５８】
上記関連性は、屈曲周期ＴＷ１，ＴＷ２，ＴＷ３，…と変化周期ＴＩ１，ＴＩ２，ＴＩ３，…とが時間的にほぼ一致しているとか、完全に一致していなくても、多少の周期ずれがあっても、一定の範囲でその周期に関連性があれば、ワイヤケーブルの断線予兆を検知することができる。
【００５９】
なお、ワイヤケーブル３とは別にワイヤケーブル３と同様の構造を備えた専用ワイヤケーブル３を設置し、この専用ワイヤケーブル３を用いてワイヤケーブル３の断線予兆の検知を行うようにしてもよい。
【００６０】
また、図８で示すように電源１に直流出力端子を符号で１ｃ１，１ｃ２とし、一方の端子１ｃ１を断線予兆を検知する必要が無いワイヤケーブルに接続する端子用とし、他方の端子１ｃ２を断線予兆を検知する必要が有るワイヤケーブルに接続する端子用とすることができる。電源１の端子台等の図示は略するが、もちろん、これら直流出力端子１ｃ１，１ｃ２の数はそれぞれ必要に応じて１つでも複数でもよく任意として、適宜、端子台やその他の端子取付部等に配備することができる。
【図面の簡単な説明】
【００６１】
【図１】図１は、本発明の実施の形態に係る断線予兆検知装置を備えた電源と、この電源に接続された近接センサとを示す図である。
【図２】図２は、電源の内部回路を示す図である。
【図３】図３は、ワイヤケーブルの構成を示す図である。
【図４】図４（ａ）はワイヤケーブルに断線が発生していない状態でワイヤケーブルが屈曲している状態を示し、図４（ｂ）はワイヤケーブルが伸張している状態を示し、図４（ｃ）はワイヤケーブルを流れる電流を示す図である。
【図５】図５（ａ）はワイヤケーブルの１つの素線に断線が発生している状態でワイヤケーブルが屈曲している状態を示し、図５（ｂ）はワイヤケーブルが伸張している状態を示し、図５（ｃ）はワイヤケーブルを流れる電流を示す図である。
【図６】図６（ａ）はワイヤケーブルの２つの素線に断線が発生している状態でワイヤケーブルが屈曲している状態を示し、図６（ｂ）はワイヤケーブルが伸張している状態を示し、図６（ｃ）はワイヤケーブルを流れる電流を示す図である。
【図７】図７（ａ）はワイヤケーブルの３つの素線に断線が発生している状態でワイヤケーブルが屈曲している状態を示し、図７（ｂ）はワイヤケーブルが伸張している状態を示し、図７（ｃ）はワイヤケーブルを流れる電流を示す図である。
【図８】図８は電源の他の変形例を示す図である。
【符号の説明】
【００６２】
１              電源
２              負荷
３              ワイヤケーブル
３ａ            素線
３ａ１，３ａ２  素線半部
３ａ３          両素線半部の接触部
４              近接センサ
５              電源本体部
６              断線予兆検知装置
６ａ            屈曲周期記憶手段
６ｂ            変化周期検知手段
６ｃ            断線予兆報知手段
６ｄ            屈曲周期学習手段
６ｅ            制御手段
【図１】
2007139488.tif 000003
【図２】
2007139488.tif 000004
【図３】
2007139488.tif 000005
【図４】
2007139488.tif 000006
【図５】
2007139488.tif 000007
【図６】
2007139488.tif 000008
【図７】
2007139488.tif 000009
【図８】
2007139488.tif 000010